(57)【要約】      （修正有）【課題】底の浅い液体容器では問題ないが、間口が狭く底の深い液体容器、例えば円柱形状で底の深い水筒では容器内部の洗浄が困難と言う問題があった。本発明は、洗浄が容易で液漏れし難い液体容器の提供する。【解決手段】液体容器に内容器０４を設け、その内容器０４は、人力で容易に変形する柔軟な樹脂で形成し、取付け取外しが容易な袋形状であり、裏返す事で容器内面の洗浄が容易で、その内容器開口部０４ａをパッキンにする事で液漏れし難くし、課題を解決した。【選択図】図１
2020175913.tif 000002
【特許請求の範囲】
【請求項１】
液体用容器において、
開口部を有する外容器と前記開口部に着脱自在に取付けられる排液口部又は蓋部又は排液口部と蓋部を設け、
液体を貯蔵する内容器を前記外容器の内側に設け、
前記内容器は液体を通さず人力で容易に変形する柔軟な樹脂で形成し、
前記内容器は前記外容器に取付け取外し自在な形状で、
前記内容器は開口部を有し道具を使用せず人力で裏返す事が出来る袋形状で、
前記内容器の開口部は裏返すのを妨げない開口面積を持つ形状で、
前記内容器の内面は裏返したとき凹部の無い形状で、
前記内容器の開口部は前記外容器の排液口部又は蓋部と外容器の開口部内側とに挟まれる事で外容器の開口部内側と密着し外容器と内容器との隙間に液体が侵入しない形状で、
前記内容器の開口部は前記外容器の排液口部又は蓋部と外容器の開口部内側とに挟まれる事で外容器の排液口部又は蓋部と密着し外部へ液漏れしない形状で、
ある事を特徴とする液体用容器。
【発明の詳細な説明】
【技術分野】
【０００１】
本発明は、液体用容器に関する。
【背景技術】
【０００２】
底の浅い液体容器では問題ないが、間口が狭く底の深い液体容器、例えば円柱形状で底の深い水筒では容器内部の洗浄が困難である。
【０００３】
従来、水筒に直接飲料をいれて使用しており、一般にスポンジに柄の付いた清掃道具などで、水筒内を洗って使用していた（特許文献１参照）。
【０００４】
特許文献２にて水筒内形状より縦に長い液体を通さない袋に、水筒内内袋の注ぎ口部分を長くし、水筒内内袋に折り返し部を設け、折り返し部を保護する為の保護カバーを上から被せるようにして取付ける水筒内内袋を取り換えることにより、水筒を毎回洗浄することなく使用する事が示されている。
【先行技術文献】
【特許文献】
【０００５】
【特許文献１】特開２０１２−７５８３９号公報
【特許文献２】特開２０１７−１０４４７０号公報
【発明の概要】
【発明が解決しようとする課題】
【０００６】
特許文献１の清掃道具では、間口が狭く底の深い液体容器は洗浄が困難なため垢やカビが発生し清潔に保ち難いうえ、毎回の洗浄も手間が掛かる。
【０００７】
特許文献２の水筒内内袋の使用では、取付けに手間が掛かりしかも折り返し部が邪魔になり水筒キャップを正常に取付け出来なかったり、無理に取付ける事で袋が破損したり撚れる事で隙間が生じ液漏れの原因になる。更に洗浄の代わりに袋を交換する度に袋がゴミになってしまう問題もある。本発明は、以上の問題を解決するためになされたものである。
【課題を解決するための手段】
【０００８】
本発明は、前記従来技術の問題点改善のため創作したもので、洗浄が容易で垢やカビが発生し難く液漏れもし難い液体容器の提供を目的とする。
【０００９】
図１に本発明の構成例と形状を示す。
開口部０１ａを有する外容器０１と前記開口部に着脱自在に取付けられる排液口部０２と蓋部０３を設け、液体を貯蔵する内容器０４を前記外容器の内側に設け、前記内容器は液体を通さず人力で容易に変形する柔軟な樹脂で形成し、前記内容器は前記外容器に取付け取外し自在な形状で、前記内容器は開口部０４ａを有し道具を使用せず人力で裏返す事が出来る袋形状で、前記内容器の開口部は裏返すのを妨げない開口面積を持つ形状で、前記内容器の内面は裏返したとき凹部の無い形状で、前記内容器の開口部は前記外容器の排液口部又は蓋部と外容器の開口部内側とに挟まれる事で外容器の開口部内側と密着し外容器と内容器との隙間０５に液体が侵入しない形状で、前記内容器の開口部は前記外容器の排液口部又は蓋部と外容器の開口部内側とに挟まれる事で外容器の排液口部又は蓋部と密着し外部へ液漏れしない形状とする。
【発明の効果】
【００１０】
本発明の液体用容器によれば、内容器０４を取出し図２の様に内容器を裏返すと凹部の無い形状であり容易に洗浄出来るので垢やカビが発生し難くなり清潔に保ち易い。内容器０４は、洗浄すれば繰り返し使用出来るので特許文献２の水筒内内袋の様に使用する度にゴミになる事もない。
内容器は開口部０４ａが、外容器の開口部内側と排液口部０２と密着するパッキンの形状なので液漏れしない。外容器０１は、柔軟な内容器を保護し容器の形状を保つ働きがある。
【００１１】
以上により、洗浄が容易で垢やカビが発生し難く液漏れもし難い液体容器の提供が可能となる。
【図面の簡単な説明】
【００１２】
【図１】実施の形態１の説明図。
【図２】内容器を裏返した図。
【図３】実施の形態２の説明図
【図４】実施の形態３の説明図
【図５】実施の形態４の説明図
【発明を実施するための形態】
【００１３】
以下、本発明の実施の形態を４例を詳細に説明する。
【実施例】
【００１４】
（実施の形態１）
保温性を持たせた場合の本発明実施形態１を図１に示す。外容器に真空層０６を設ける事で、液体の保温性が良くなる事が知られている。更に図１の様に、内容器に支え部０４ｂを設け外容器の間に空気層０５を設ける事でより一層の保温性を持たせた。
【００１５】
柔軟な樹脂製内容器の材質をシリコン樹脂にすると耐熱温度１４０℃、耐冷温度−３０℃となり、液体を凍らせて外容器に入れて持ち歩く事も可能になる。
また、錆びる事も無いのでスポーツドリンクなど塩分の多い液体を入れても問題ない。
また、煮沸洗浄も出来るので、腐敗が懸念される栄養価の高い液体を入れる事も可能となる。
【００１６】
内容器は柔軟性を持ったシリコン樹脂で開口部を有する袋形状に形成する事で裏返す事が出来る形状にし易い。また、内容器の内側は角形状を含むものより曲面，平面だけで構成された形状にする事で、裏返したとき凹部の無い形状になる。
凹部の無い形状だと洗浄残し無くムラ無く洗浄出来る。また、内容器の開口部だけ厚みを増し開口部形状を保つ強度を得る形状にする事で液漏れ防止のパッキンとして機能する。
【００１７】
（実施の形態２）
軽量化及び構造の簡素化のために外容器を単層とし、外容器の開口部を排液口部として蓋部０３だけを設けた場合の本発明実施形態２を図３に示す。
【００１８】
外容器は単層だが、外容器と内容器の間に空気層０５が出来るので、図３の構造でもある程度の保温性が有る。しかし、排液口部０２が広くなり保温性は落ちる。
【００１９】
内容器０４は裏返らせる程の柔軟性が有るので外部からの衝撃で破損し易いが、外容器０１を相応の強度のある材質で形成する事で液体用容器としての形状を保ち外部からの衝撃による内容器の破損を防止出来る。
【００２０】
（実施の形態３）
容器内に液体が無い時に容器を折畳み携帯し易くした場合の本発明実施形態３を図４に示す。
折畳める外容器構造例としてリング形状の複数の針金又はコイルバネを骨格とした蛇腹構造の円柱状外容器も挙げられるが、図４の例では、折畳める箱の構造とした場合を示す。
【００２１】
天板の嵌め代部０７と底板の嵌め代部０８を嵌め込む事で四角柱外容器になる。折り畳み時は、外容器の天板と底板を側板から外す。外容器０１に取付てあるゴムバンド０９でタスキ掛けにする事で折畳んだ形状を維持する。内容器は、柔軟性があるので外容器とともに潰れる。
外容器は、内容器を保護する程度の強度があり折れ線に従って可動な合成樹脂等で形成出来る。
【００２２】
（実施の形態４）
排液口部，蓋部の内側にも柔軟な樹脂で形成された裏返し出来る部材１０を設ける事で排液口部，蓋部も洗浄し易くし、容器内圧力が高くなるほど部材１０の開口部と内容器の開口部０４ａの接触部とが、より密着する形状にした場合の本発明実施形態４を図５に示す。
【００２３】
内容器の開口部０４ａの内側に部材１０の開口部が入り込んでいる形状をしている。更に前記部分で内容器の開口部０４ａの厚みより部材１０の開口部の厚みを薄くする等してより柔軟性を高めているので、例えば炭酸ガスにより容器内圧力が高くなるほど内容器の開口部０４ａより部材１０の開口部が拡がりより密着し洩れを防ぐ。
また、内容器の開口部０４ａを折返しの形状にした事で、外容器の開口部内側に引っ掛けて部材１０の開口部と共に排液部０２を締め付ける事で押さえつけているので、更に密着度を強固にしている。
【符号の説明】
【００２４】
０１    外容器
０１ａ  外容器の開口部
０２    排液口部
０３    蓋部
０４    内容器
０４ａ  内容器の開口部
０４ｂ  内容器の支え部
０５    外容器と内容器の隙間（空気層）
０６    真空層
０７    天板の嵌め代部
０８    底板の嵌め代部
０９    ゴムバンド
１０    部材
【図１】
2020175913.tif 000003
【図２】
2020175913.tif 000004
【図３】
2020175913.tif 000005
【図４】
2020175913.tif 000006
【図５】
2020175913.tif 000007